(57)【要約】【課題】反射型液晶の表示部であっても、表示環境にかかわらず２次元コードの鮮明な表示を可能とし、他の電子デバイスによる２次元コードの読み取り精度を向上させることが可能な表示装置及びその表示装置を備えた電子式卓上計算機を提供すること。【解決手段】本発明の表示装置３６は、２次元コードを表示可能な反射型液晶の表示部３０と、反射型液晶の側部であって、予め定められる２次元コードを表示する位置の近傍に配置される半導体型光源３５と、を備える。【選択図】図１
2017049502.tif 000002
【特許請求の範囲】
【請求項１】
２次元コードを表示可能な反射型液晶の表示部と、
前記反射型液晶の側部であって、予め定められる前記２次元コードを表示する位置の近傍に配置される半導体型光源と、を備えることを特徴とする表示装置。
【請求項２】
請求項１に記載の表示装置を備えた電子式卓上計算機であって、
前記２次元コードが前記表示部に表示されると前記半導体型光源を点灯し、前記２次元コードが前記表示部に表示されなくなると前記半導体型光源を消灯する電子式卓上計算機。
【請求項３】
請求項１に記載の表示装置を備えた電子式卓上計算機であって、
前記半導体型光源を少なくとも点灯する操作が行える操作部を備え、
前記２次元コードが前記表示部に表示され、且つ、前記操作部で前記半導体型光源を点灯させる操作を行うと前記半導体型光源が点灯し、
前記２次元コードが表示部に表示されていないと前記操作部で前記半導体型光源を点灯させる操作を行っても前記半導体型光源が点灯しない電子式卓上計算機。
【発明の詳細な説明】
【技術分野】
【０００１】
本発明は表示装置及びその表示装置を備えた電子式卓上計算機に関するものである。
【背景技術】
【０００２】
特許文献１には、新たなハードウェアの追加をすることなく、他の電子デバイスにデータを簡単に転送するために、転送すべきデータに基づいて２次元コードを生成するとともに、生成した２次元コードを表示部に表示する表示装置（文書編集装置）が開示されている。
【先行技術文献】
【特許文献】
【０００３】
【特許文献１】特開２０１１―７６５４０号公報
【発明の概要】
【発明が解決しようとする課題】
【０００４】
しかしながら、表示部を構成する表示デバイスの種類や表示環境によっては、２次元コードを鮮明に表示することができず、他の電子デバイスによる２次元コードの読み取り精度が低下することがある。
【０００５】
本発明は、このような事情に鑑みなされたものであり、反射型液晶の表示部であっても、表示環境にかかわらず２次元コードの鮮明な表示を可能とし、他の電子デバイスによる２次元コードの読み取り精度を向上させることが可能な表示装置及びその表示装置を備えた電子式卓上計算機を提供することを目的とする。
【課題を解決するための手段】
【０００６】
上記目的を達成するために、本発明は、以下の構成により把握される。
本発明の表示装置は、２次元コードを表示可能な反射型液晶の表示部と、前記反射型液晶の側部であって、予め定められる前記２次元コードを表示する位置の近傍に配置される半導体型光源と、を備える。
【０００７】
また、本発明の電子式卓上計算機は、上記の表示装置を備えた電子式卓上計算機であって、前記２次元コードが前記表示部に表示されると前記半導体型光源を点灯し、前記２次元コードが前記表示部に表示されなくなると前記半導体型光源を消灯する。
【０００８】
また、本発明の電子式卓上計算機は、上記の表示装置を備えた電子式卓上計算機であって、前記半導体型光源を少なくとも点灯する操作が行える操作部を備え、前記２次元コードが前記表示部に表示され、且つ、前記操作部で前記半導体型光源を点灯させる操作を行うと前記半導体型光源が点灯し、前記２次元コードが表示部に表示されていないと前記操作部で前記半導体型光源を点灯させる操作を行っても前記半導体型光源が点灯しない。
【発明の効果】
【０００９】
本発明によれば、反射型液晶の表示部であっても、表示環境にかかわらず２次元コードの鮮明な表示を可能とし、他の電子デバイスによる２次元コードの読み取り精度を向上させることが可能な表示装置及びその表示装置を備えた電子式卓上計算機を提供することができる。
【図面の簡単な説明】
【００１０】
【図１】本発明に係る第１実施形態の表示装置を備える電子式卓上計算機の正面図である。
【図２】本発明に係る第１実施形態の表示装置の表示部を示す断面図である。
【図３】（ａ）は照明消灯時の２次元コード表示を示す説明図、（ｂ）は照明点灯時の２次元コード表示を示す説明図である。
【図４】本発明に係る第１実施形態の表示装置を備える電子式卓上計算機の内部背面図である。
【図５】本発明に係る第１実施形態の表示装置を備える電子式卓上計算機の制御構成を示すブロック図である。
【図６】本発明に係る第１実施形態の表示装置を備える電子式卓上計算機の動作を説明するフローチャートである。
【図７】本発明に係る第２実施形態の表示装置を備える電子式卓上計算機の正面図である。
【図８】本発明に係る第２実施形態の表示装置を備える電子式卓上計算機の動作を説明するフローチャートである。
【発明を実施するための形態】
【００１１】
（第１実施形態）
以下、本発明に係る第１実施形態について、図面を用いて説明する。
図１は、本発明に係る第１実施形態の表示装置を備えた電子式卓上計算機（以下、電卓１０ともいう）の正面図であり、以下では、この本発明に係る第１実施形態の電卓１０の説明とともに本発明に係る第１実施形態の表示装置の説明も行う。
【００１２】
電卓１０は、薄型矩形箱状の筐体２０を有する。
電卓１０は、筐体２０の正面に設けられる太陽電池２１と、筐体２０の内部に収容されるボタン電池（図示せず）とを電源として動作するものであり、さらに筐体２０の正面には、電源をオン／オフ操作するための電源スイッチ２２と、演算式などを入力するための複数の電卓キー２３と、入力した式やデータを２次元コード（例えば、ＱＲコード（登録商標））として表示させるためのコード表示キー２４と、入力した式、演算結果、２次元コードなどを表示するための表示部３０とが配置されている。
【００１３】
本実施形態の電卓１０において、表示部３０に表示される２次元コードは、筐体２０の内部に設けられる制御部４０（図５参照）によって生成されるものである。
制御部４０は、電卓キー２３によって入力された式やデータ、言い換えると、表示部３０に表示されている式やデータをコード表示キー２４の操作に応じて２次元コードに変換して表示部３０に表示させる。
【００１４】
そして、表示部３０に表示された２次元コードは、カメラを有する他の電子デバイス（スマートフォン、携帯電話機など）で読み取ることにより（イメージ取得及びデコード処理を含む）、２次元コードの元となった式やデータを電卓１０から他の電子デバイスに転送することが可能になる。
【００１５】
図２は、本実施形態の電卓１０の表示部３０を示す断面図である。
表示部３０は、反射型液晶を用いて構成されている。
反射型液晶は、例えば、表側から順番に、第１透明プレート３１と、液晶プレート３２と、第２透明プレート３３と、反射プレート３４とを積層して構成されており、液晶プレート３２にマトリクス状に配列される表示セグメントの点灯／消灯に基づいて視覚表示を行う。
【００１６】
例えば、液晶プレート３２の点灯セグメントは、「黒色」のドットとして視認され、液晶プレート３２の消灯セグメントは、外光を透過させることにより、反射プレート３４の反射色である「白色」のドットとして視認される。
【００１７】
上記のように構成される反射型液晶は、バックライトを備える透過型液晶に比べて安価であり、消費電力が少ないという利点を有しているが、図２に示すように、外光照射方向と目視方向（読み取り方向）とが相違する場合、反射プレート３４に映った点灯セグメントの影により視認性が低下する虞がある。
【００１８】
このような点灯セグメントの影は、式や演算結果を表示している状況では大きな問題とはならないが、２次元コードを表示して他の電子デバイスで読み取る際には、読み取りエラーの原因となり得る。
【００１９】
例えば、図３の（ａ）に示すように、２次元コードの表示画面に点灯セグメントの影が映り込み、この影の濃度が他の電子デバイスにおける２値化の閾値を超えた場合、点灯セグメントの影も点灯セグメントであると誤認され、読み取りエラーとなってしまう。
【００２０】
また、２次元コードが単純な白黒ドットの２値ではなく、黒のドットの濃淡を利用した多値表示であるような場合には、影の影響による閾値判定に誤りがより発生しやすくなり、読み取りエラーの頻度も多くなる。
【００２１】
図４は、本実施形態の電卓１０の内部背面図である。
図１及び図４に示すように、本実施形態の電卓１０は、反射型液晶の表示部３０であっても、外光照射角度などの表示環境にかかわらず２次元コードの鮮明な表示を可能とし、他の電子デバイスによる２次元コードの読み取り精度を向上させるために、発光ダイオード（ＬＥＤ）などで構成される半導体型光源３５を備えている。
【００２２】
つまり、本発明に係る第１実施形態の表示装置３６は、２次元コードを表示可能な反射型液晶の表示部３０と、発光ダイオード（ＬＥＤ）などで構成される半導体型光源３５と、を備えている。
【００２３】
半導体型光源３５は、反射型液晶の側部であって、予め定められる２次元コード表示位置の近傍に配置されている。
本実施形態の電卓１０に用いられている表示装置３６は、左右に長く、上下に短い横長な反射型液晶からなる表示部３０と半導体型光源３５を備え、表示部３０は、使用時に目視される側から見て（図１参照）、２次元コードを表示する表示位置が表示部３０の中央部左寄りの位置に予め定められており、半導体型光源３５は、反射型液晶の中央部左寄りの上方近傍に配置されている。
【００２４】
そして、表示装置３６は、２次元コードを表示する際、反射型液晶の側部であって、予め定められる２次元コード表示位置の近傍に配置された半導体型光源３５の光を反射型液晶に側方から入射することにより、外光により反射プレート３４に映る点灯セグメントの影を消し、鮮明な２次元コード表示を行うことが可能になっている（図３の（ｂ）参照）。
【００２５】
次に、図５に示すブロック図を参照しながら、電卓１０の制御構成について説明する。
制御部４０は、記憶部（ＲＯＭなど）に記億されている各種のプログラムを実行して所定の演算や各部の制御を行うＣＰＵと、プログラム実行時の作業領域となるメモリ（ＲＡＭなど）とを備えている（いずれも図示略）。
【００２６】
制御部４０の入力側には、前述した電源スイッチ２２、電卓キー２３、コード表示キー２４などが接続され、制御部４０の出力側には、前述した表示部３０、半導体型光源３５などが接続されている。
【００２７】
そして、制御部４０は、記憶部に記憶されたプログラムとの協働により、電源スイッチ２２、電卓キー２３及びコード表示キー２４からの入力信号に基づいて、表示装置３６（表示部３０及び半導体型光源３５）の制御を行う。
【００２８】
以下、図６に示すフローチャートを参照しながら、制御部４０の制御に基づく電卓１０の動作について説明する。
なお、フローチャートでは、半導体型光源３５を照明と略す。
【００２９】
図６は、本発明に係る実施形態の表示装置３６を備える電卓１０の動作を説明するフローチャートである。
電源スイッチ２２をオン操作すると、制御部４０が起動する。起動した制御部４０は、コード表示キー２４の操作判断（ステップＳ１）を行いコード表示キー２４の操作が行われていない場合（ステップＳ１：ＮＯ）、電卓キー２３の操作判断（ステップＳ２）を行う。
【００３０】
そして、電卓キー２３の操作も行われていない場合（ステップＳ２：ＮＯ）、制御部４０は、電源スイッチ２２のオフ操作判断（ステップＳ３）を行い、電源スイッチ２２がオフ操作されない場合（ステップＳ３：ＮＯ）、制御部４０は、再び、コード表示キー２４の操作判断（ステップＳ１）に戻り、上記の操作判断（ステップＳ１〜Ｓ３）を繰り返す。
【００３１】
一方、電源スイッチ２２がオフ操作された場合（ステップＳ３：ＹＥＳ）、制御部４０による制御処理が終わる。
また、電卓キー２３が操作された場合（ステップＳ２：ＹＥＳ）、制御部４０は、電卓キー２３の操作により入力された式の演算処理を実行するとともに（ステップＳ４）、演算処理の結果を表示部３０に表示させて（ステップＳ５）、再び、コード表示キー２４の操作判断（ステップＳ１）に戻る。
【００３２】
さらに、コード表示キー２４が操作された場合（ステップＳ１：ＹＥＳ）、制御部４０は、表示部３０に表示されている表示データを２次元コードに変換するとともに（ステップＳ６）、変換した２次元コードを表示部３０の予め定められた位置に表示させる（ステップＳ７）。
【００３３】
そして、制御部４０は、表示部３０に２次元コードを表示させる際、半導体型光源３５を点灯させる（ステップＳ８）。
上述のように、半導体型光源３５は、表示部３０を構成する反射型液晶の側部であって、予め定められる２次元コード表示位置の近傍に配置されているので、その発光が反射型液晶に側方から入射されることにより、外光により反射プレート３４に映る点灯セグメントの影が消え、鮮明な２次元コード表示が可能になる。
【００３４】
続いて、制御部４０は、２次元コードの表示中、２次元コードの表示解除操作を繰り返し判断する（ステップＳ９）。例えば、２次元コードの表示解除が電卓キー２３に含まれる「ＡＣキー（オールクリアキー）」の操作に基づいて行われる場合は、「ＡＣキー」の操作を判断する。
そして、２次元コードの表示解除操作が行われた場合（ステップＳ９：ＹＥＳ）、制御部４０は、半導体型光源３５を消灯させた後（ステップＳ１０）、先頭の処理ステップ（ステップＳ１）に戻る。
【００３５】
以上のように、本発明に係る実施形態の表示装置３６は、２次元コードが表示部３０と半導体型光源３５とを備え、その表示装置３６を備える本実施形態の電卓１０によれば、２次元コードが表示部３０に表示されると半導体型光源３５を点灯し、２次元コードが表示部３０に表示されなくなると半導体型光源３５を消灯するので、ユーザの操作負担を増やすことなく、外光により反射プレート３４に映る点灯セグメントの影を消し、鮮明な２次元コード表示を行うことが可能になる。
【００３６】
（第２実施形態）
次に、本発明に係る第２実施形態の表示装置を備える電子式卓上計算機（以下、電卓ともいう）について、図７及び図８を参照しながら説明する。
なお、図７及び図８において、第１実施形態と同様の部分には、同じ符号を付して説明を省略する場合がある。
図７は、本発明に係る第２実施形態の表示装置３６を備えた電卓１０の正面図であり、表示装置３６自体は第１実施形態と同じである。
【００３７】
一方、図７に示すように、本発明に係る第２実施形態の表示装置３６を備えた電卓１０においては、新たに照明キー２５が追加されている点が第１実施形態と異なり、また、制御部４０が実行するプログラムの内容について第１実施形態と異なる点がある。
以下では、第１実施形態と同様の点については説明を割愛し、異なる点についてのみ主に説明する。
【００３８】
図８は、本発明に係る第２実施形態の電卓１０の動作を説明するフローチャートである。
なお、図８において、ステップＳ１〜７については、第１実施形態と同じ動作であるため、以下では、ステップＳ１がＹＥＳとなる場合の流れについてのみ説明する。
【００３９】
第２実施形態に係る電卓１０の制御部４０は、第１実施形態と同様に、コード表示キー２４が操作された場合（ステップＳ１：ＹＥＳ）、表示部３０に表示されている表示データを２次元コードに変換するとともに（ステップＳ６）、変換した２次元コードを表示部３０の予め定められた位置に表示させるが（ステップＳ７）、その後に照明キー２５の操作を判断する点が第１実施形態と相違している（ステップＳ１１）。
【００４０】
制御部４０は、表示部３０に２次元コードを表示している状態で、照明キー２５が操作された場合（ステップＳ１１：ＹＥＳ）、半導体型光源３５を点灯させるが（ステップＳ１２）、表示部３０に２次元コードを表示している状態であっても、照明キー２５が操作されない場合（ステップＳ１１：ＮＯ）、半導体型光源３５を点灯させない。
【００４１】
つまり、第２実施形態の制御部４０は、２次元コードの表示中、照明キー２５の操作判断（ステップＳ１１）と、２次元コードの表示解除操作判断（ステップＳ１３）とを繰り返し、照明キー２５が操作された場合（ステップＳ１１：ＹＥＳ）、半導体型光源３５を点灯させ（ステップＳ１２）、２次元コードの表示解除操作が行われた場合（ステップＳ１３：ＹＥＳ）、半導体型光源３５を消灯させた後（ステップＳ１４）、先頭の処理ステップ（ステップＳ１）に戻る。
【００４２】
なお、照明キー２５は、一度操作されるとＯＮを持続し、もう一度操作されるとＯＮの持続を止める（つまりＯＦＦする）ようにしておいても良いし、一度ＯＮの状態になったら、ステップＳ１４の照明消灯までＯＮを持続し続けるものであっても良い。
【００４３】
例えば、照明キー２５が、一度操作されるとＯＮを持続し、もう一度操作されるとＯＮの持続を止める（つまりＯＦＦする）ようになっていれば、２次元コードの表示中に必要に応じて半導体型光源３５の点消灯を行うことができ、一方、最後の消灯をしなくても、２次元コードの表示解除操作が行われると自動的にステップ１４で消灯が行われる。
【００４４】
一方、照明キー２５が、一度ＯＮの状態になったら、ステップＳ１４の照明消灯までＯＮを持続し続けるようになっていると、２次元コードの表示中に半導体型光源３５の点消灯を繰り返し行うことは出来ないが、照明キー２５を操作して半導体型光源３５を点灯させた後、２次元コードの表示中に間違って、再び、照明キー２５を操作してしまった場合に、半導体型光源３５が消灯してしまうことを回避することができる。
なお、この場合には、照明キー２５は、半導体型光源３５を少なくとも点灯する操作が行える操作部であればよい。
【００４５】
以上のように、第２実施形態の電卓１０によれば、２次元コードが表示部３０に表示され、且つ、照明キー２５を操作すると半導体型光源３５が点灯するので、半導体型光源３５の点灯が不要な状況、つまり半導体型光源３５を点灯しなくても鮮明に２次元コードが表示されている状況で、半導体型光源３５が自動的に点灯されることを回避し、消費電力を抑制することができる。
【００４６】
また、第２実施形態の電卓１０によれば、２次元コードが表示部３０に表示されているときにしか半導体型光源３５を点灯させるステップＳ１２に行かないため、２次元コードが表示部３０に表示されていない状況では、照明キー２５を操作しても半導体型光源３５が点灯しないので、照明キー２５の誤操作による半導体型光源３５の無駄な点灯も防止することができる。
【００４７】
以上、具体的な実施形態に基づいて、本発明について説明してきたが、本発明は上記の具体的な実施形態に限定されるものではなく、本発明の技術的範囲には、本発明の目的が達成される範囲での様々な変形や改良などが含まれるものである。
【００４８】
例えば、上記実施形態では、本発明の表示装置が電子式卓上計算機に適用されている場合について例示しているが、本発明の表示装置の使用形態が電子式卓上計算機に限定されるものではなく、本発明の表示装置が電子式卓上計算機と異なる機器に使用されても良いことは言うまでもない。
【００４９】
以下に、この出願の願書に最初に添付した特許請求の範囲に記載した発明を付記する。付記に記載した請求項の項番は、この出願の願書に最初に添付した特許請求の範囲の通りである。
＜請求項１＞
２次元コードを表示可能な反射型液晶の表示部と、
前記反射型液晶の側部であって、予め定められる前記２次元コードを表示する位置の近傍に配置される半導体型光源と、を備えることを特徴とする表示装置。
＜請求項２＞
請求項１に記載の表示装置を備えた電子式卓上計算機であって、
前記２次元コードが前記表示部に表示されると前記半導体型光源を点灯し、前記２次元コードが前記表示部に表示されなくなると前記半導体型光源を消灯する電子式卓上計算機。
＜請求項３＞
請求項１に記載の表示装置を備えた電子式卓上計算機であって、
前記半導体型光源を少なくとも点灯する操作が行える操作部を備え、
前記２次元コードが前記表示部に表示され、且つ、前記操作部で前記半導体型光源を点灯させる操作を行うと前記半導体型光源が点灯し、
前記２次元コードが表示部に表示されていないと前記操作部で前記半導体型光源を点灯させる操作を行っても前記半導体型光源が点灯しない電子式卓上計算機。
【符号の説明】
【００５０】
１０  電卓
２０  筐体
２１  太陽電池
２２  電源スイッチ
２３  電卓キー
２４  コード表示キー
２５  照明キー
３０  表示部
３１  第１透明プレート
３２  液晶プレート
３３  第２透明プレート
３４  反射プレート
３５  半導体型光源
３６  表示装置
４０  制御部
【図１】
2017049502.tif 000003
【図２】
2017049502.tif 000004
【図４】
2017049502.tif 000005
【図５】
2017049502.tif 000006
【図６】
2017049502.tif 000007
【図７】
2017049502.tif 000008
【図８】
2017049502.tif 000009
【図３】
2017049502.tif 000010